(57)【特許請求の範囲】
【請求項１】
複数の表示装置を連結した連結画面のアスペクト比を、前記複数の表示装置の各々のアスペクト比に基づいて取得する取得部と、
前記連結画面のアスペクト比に応じたファインダーを生成する生成部と、
生成された前記ファインダーを用いて撮影する撮影処理部と、
を備える情報端末。
【請求項２】
前記取得部は、前記複数の表示装置の各々の画面の位置とアスペクト比に基づいて、前記連結画面の形状とアスペクト比を取得し、
前記生成部は、前記連結画面の形状とアスペクト比に応じたファインダーを生成する、請求項１記載の情報端末。
【請求項３】
撮影処理部は、前記ファインダーを撮影画面に表示させる、請求項１または２記載の情報端末。
【請求項４】
前記取得部は、前記複数の表示装置から受信した情報に基づいて、前記複数の表示装置の各々のアスペクト比を取得する、請求項１乃至３のいずれか１項に記載の情報端末。
【請求項５】
前記情報は、前記複数の表示装置の各々のアスペクト比、解像度、または機種情報を少なくとも含む、請求項４記載の情報端末。
【請求項６】
前記情報は、前記複数の表示装置から受信したビーコンに含まれるＳＳＩＤ（Service Set Identifier）である、請求項４または５記載の情報端末。
【請求項７】
前記取得部は、前記複数の表示装置から受信したビーコンの間隔に基づいて、前記複数の表示装置の各々のアスペクト比を取得する、請求項１乃至３のいずれか１項に記載の情報端末。
【請求項８】
前記生成部は、自端末の縦横の向きが変化した際に、自端末の向きに応じたファインダーを再度生成する、請求項１乃至７のいずれか１項に記載の情報端末。
【請求項９】
前記ファインダーの範囲内の画像と、前記ファインダーの範囲外の領域を含む撮影可能な全範囲の画像とを、区別可能な形式で記録する記憶部をさらに有する、請求項１乃至８のいずれか１項に記載の情報端末。
【請求項１０】
情報端末に、以下の処理を行わせる撮影制御プログラムであって、
複数の表示装置を連結した連結画面のアスペクト比を、前記複数の表示装置の各々のアスペクト比に基づいて取得する処理と、
前記連結画面のアスペクト比のファインダーを生成する処理と、
生成された前記ファインダーを用いて撮影する処理と、
を実行させる撮影制御プログラム。
【請求項１１】
情報端末と、複数の表示装置とを備える表示システムであって、
情報端末は、
前記複数の表示装置から受信した情報に基づいて、前記複数の表示装置の各々のアスペクト比を取得し、複数の表示装置を連結した連結画面のアスペクト比を、前記各々のアスペクト比に基づいて取得する取得部と、
前記連結画面のアスペクト比のファインダーを生成する生成部と、
生成された前記ファインダーを用いて撮影する撮影処理部と、を備え、
前記複数の表示装置は、
前記情報を通知する通知部を備える表示システム。
【請求項１２】
情報端末と、複数の表示装置とを備える表示システムにおける撮影制御方法であって、
前記複数の表示装置が、前記情報端末に、情報を通知するステップと、
前記情報端末が、前記情報に基づいて、前記複数の表示装置の各々のアスペクト比を取得するステップと、
前記複数の表示装置を連結した連結画面のアスペクト比を、前記各々のアスペクト比に基づいて取得するステップと、
前記連結画面のアスペクト比のファインダーを生成する生成部と、
生成された前記ファインダーを用いて撮影するステップと、を備える撮影制御方法。
【発明の詳細な説明】
【技術分野】
【０００１】
本発明は、情報端末、撮影制御プログラム、表示システム、及び撮影制御方法に関する。
【背景技術】
【０００２】
スマートフォン等の情報端末で撮影した静止画や動画等のコンテンツデータを、情報端末から表示装置に送信し、表示装置にて、受信したコンテンツデータを表示する技術が知られている。
【０００３】
また、近年、サイネージ等の用途で、複数台のプロジェクタ等の表示装置を連結して、大きな一つの画面としてコンテンツデータを表示する技術が用いられている。
【０００４】
情報端末から表示装置にコンテンツデータを送信して表示させるシステムにおいて、情報端末が提供するコンテンツデータの解像度と表示装置の解像度とが異なる場合、コンテンツデータのアスペクト比を保ちながら解像度を変換して表示させる技術が知られている（例えば、特許文献１参照）。
【発明の概要】
【発明が解決しようとする課題】
【０００５】
従来の技術では、情報端末にて撮影したコンテンツデータを、複数台の表示装置を連結した画面に表示する場合のアスペクト比等については考慮されていない。
【０００６】
そこで、複数台の表示装置を連結した画面のアスペクト比に合わせた撮影を可能とする技術を提供することを目的とする。
【課題を解決するための手段】
【０００７】
情報端末において、複数の表示装置を連結した連結画面のアスペクト比を、前記複数の表示装置の各々のアスペクト比に基づいて取得する取得部と、前記連結画面のアスペクト比に応じたファインダーを生成する生成部と、生成された前記ファインダーを用いて撮影する撮影処理部と、を備える。
【発明の効果】
【０００８】
開示の技術によれば、複数台の表示装置を連結した画面のアスペクト比に合わせた撮影が可能となる。
【図面の簡単な説明】
【０００９】
【図１】実施形態に係る表示システムのシステム構成の一例を示す図である。
【図２】実施形態に係る表示システムの利用シーンの一例を説明する図である。
【図３】表示システムが有する各装置のハードウェア構成の一例を示す図である。
【図４】第１の実施形態の表示システムが有する各装置の機能構成の一例を示す図である。
【図５】各表示装置の画面情報の一例を示す図である。
【図６】各表示装置を連結した画面を説明する図である。
【図７】撮影画面におけるファインダーの表示例を示す図である。
【図８】第１の実施形態に係る表示システムの動作を説明するシーケンス図である。
【図９】第２の実施形態に係る表示システムの動作を説明するシーケンス図である。
【図１０】第３の実施形態の表示システムが有する各装置の機能構成の一例を示す図である。
【図１１】は、機種情報対応テーブルの一例を示す図である。
【発明を実施するための形態】
【００１０】
実施形態では、情報端末において、複数の表示装置を連結した連結画面のアスペクト比を、前記複数の表示装置の各々のアスペクト比に基づいて取得する取得部と、前記連結画面のアスペクト比に応じたファインダーを生成する生成部と、生成された前記ファインダーを用いて撮影する撮影処理部と、を備える。
【００１１】
それにより、複数台の表示装置を連結した画面のアスペクト比に合わせた撮影を可能にする。
【００１２】
以下に図面を参照して実施形態について説明する。図１は、実施形態に係る表示システムのシステム構成の一例を示す図である。
【００１３】
表示システム１００は、情報端末２００と、複数の表示装置３００−１、３００−２、・・・３００−ｎ（以下、適宜「表示装置３００」と総称する）とを有し、情報端末２００と表示装置３００とはネットワーク等のデータ伝送路Ｎを介して接続される。
【００１４】
表示システム１００は、複数の表示装置３００−１、３００−２、・・・３００−ｎによる画面を連結して、一つの画面として表示を行う。
【００１５】
データ伝送路Ｎは、無線ＬＡＮ、ＮＦＣ（Near field communication）、ＺｉｇＢｅｅ、Ｂｌｕｅｔｏｏｔｈ（登録商標）等の近距離無線や、３Ｇ（3rd Generation）、ＬＴＥ（Long Term Evolution）、４Ｇ（4th Generation）の規格に準ずる無線通信、ＬＡＮケーブルやＵＳＢケーブル等を用いても良い。
【００１６】
情報端末２００は、例えばスマートフォン、携帯電話、タブレットＰＣ（Personal Computer）、ノート型ＰＣ等の端末であっても良い。
【００１７】
情報端末２００は、撮影制御プログラム２１０がインストールされている。情報端末２００は、撮影制御プログラム２１０を実行して、各表示装置３００を連結した画面の形状とアスペクト比に応じて、撮影時のファインダーを生成する。そして、撮影した静止画や動画等のコンテンツデータを、各表示装置にて表示させるデータである分割コンテンツデータに分割して、表示装置３００へ送信する。
【００１８】
表示装置３００は、例えばプロジェクタやディスプレイ等であり、再生プログラム３１０がインストールされている。表示装置３００は、再生プログラム３１０を実行することで、受信した分割コンテンツデータを表示させる。
【００１９】
以下に図２を参照して表示システム１００の利用シーンについて説明する。図２は、実施形態に係る表示システムの利用シーンの一例を説明する図である。
【００２０】
図２の例では、情報端末２００をスマートフォンとし、各表示装置３００−１、３００−２、・・・３００−ｎを各プロジェクタ３０１−１、３０１−２、・・・３０１−ｎ（以下、適宜「プロジェクタ３０１」と総称する）と各スクリーン３０２−１、３０２−２、・・・３０２−ｎを含む構成とし、表示システム１００を例えば電子看板（Digital Signage）に用いた場合を示している。
【００２１】
次に図３を参照して表示システム１００の有する各装置のハードウェア構成を説明する。図３は、表示システムが有する各装置のハードウェア構成の一例を示す図である。
【００２２】
情報端末２００は、それぞれバスＢ１で相互に接続されているＣＰＵ（Central Processing Unit）２１、記憶部２２、入力部２３、外部インターフェイス部２４、ネットワーク制御部２５、出力部２６、ドライブ装置２７、撮影部２８を有する。
【００２３】
ＣＰＵ２１は、情報端末２００の各種動作を制御する。記憶部２２は、情報端末２００の動作や演算に係る各種情報や、情報端末２００で実行される各種プログラム等が格納される。入力部２３は、各種信号や情報を入力するために用いられる。入力部２３は、例えばタッチパネル等の表示機能を有していても良い。また、入力部２３は、例えばポインティングデバイスやキーボード等であっても良い。
【００２４】
外部インターフェイス部２４は、例えばＵＳＢ（Universal Serial Bus）メモリスロットやＮＦＣ（Near field communication）等である。ネットワーク制御部２５は、モデム、ＬＡＮカード等を含み、ネットワークに接続する為に用いられる。
【００２５】
出力部２６は、情報端末２００から各種情報報の出力するために用いられる。出力部２６は、例えばディスプレイ等であっても良いし、外部装置へ各種データを送信する送信部であっても良い。
【００２６】
撮影部２８は、例えばカメラ等であり、情報端末２００にて、撮影するために用いられる。
【００２７】
撮影制御プログラム２１０は、情報端末２００を制御する各種プログラムの少なくとも一部である。撮影制御プログラム２１０は例えば記録媒体２９の配布やネットワークからのダウンロードなどによって提供される。撮影制御プログラム２１０を記録した記録媒体２９は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００２８】
また撮影制御プログラム２１０を記録した記録媒体２９がドライブ装置２７にセットされると、撮影制御プログラム２１０は記録媒体２９からドライブ装置２７を介して記憶部２２にインストールされる。ネットワークからダウンロードされた撮影制御プログラム２１０は、ネットワーク制御部２５を介して記憶部２２にインストールされる。
【００２９】
記憶部２２は、インストールされた撮影制御プログラム２１０を格納すると共に、必要なファイル、データ等を格納する。ＣＰＵ２１は記憶部２２に格納された撮影制御プログラム２１０に従って、後述するような各種処理を実現している。
【００３０】
表示装置３００は、それぞれバスＢ２で相互に接続されているＣＰＵ３１、記憶部３２、入力部３３、外部インターフェイス部３４、ネットワーク制御部３５、表示部３６、ドライブ装置２７を有する。
【００３１】
ＣＰＵ３１は、表示装置３００の各種動作を制御する。記憶部３２は、表示装置３００の動作や演算に係る各種情報や、表示装置３００で実行される各種プログラム、表示装置３００で再生される分割コンテンツデータ等が格納される。入力部３３は、各種信号や情報を入力するために用いられる。入力部３３は、例えば表示装置３００を操作する操作部材等である。
【００３２】
外部インターフェイス部３４は、例えばＵＳＢ（Universal Serial Bus）メモリスロットやＮＦＣ（Near field communication）等である。ネットワーク制御部３５は、表示装置３００のネットワークへの接続を制御する。表示部３６は、表示装置３００が表示指示を受けた分割コンテンツデータを表示させる。
【００３３】
再生プログラム３１０は、表示装置３００を制御する各種プログラムの少なくとも一部である。再生プログラム３１０は例えば記録媒体３８の配布やネットワークからのダウンロードなどによって提供される。また再生プログラム３１０を記録した記録媒体３８がドライブ装置３７にセットされると、再生プログラム３１０は記録媒体３８からドライブ装置３７を介して記憶部３２にインストールされる。ネットワークからダウンロードされた再生プログラム３１０は、ネットワーク制御部３５を介して記憶部３２にインストールされる。
【００３４】
記憶部３２は、インストールされた再生プログラム３１０を格納すると共に、必要なファイル、データ等を格納する。ＣＰＵ３１は記憶部３２に格納された再生プログラム３１０にしたがって、後述するような各種処理を実現している。
【００３５】
以下に、各実施形態について説明する。
【００３６】
＜第１の実施形態＞
図４を参照して表示システム１００が有する各装置の機能構成について説明する。図４は、第１の実施形態の表示システムが有する各装置の機能構成の一例を示す図である。
【００３７】
情報端末２００は、記憶部２２内に設けられた所定の記憶領域２２０を有する。記憶領域２２０には、例えばコンテンツデータ２２１が格納されている。コンテンツデータ２２１は、例えば、撮影部２８にて撮影し、各表示装置３００を連結した画面へ表示することが可能なデータであり、例えば画像データや動画データ等である。
【００３８】
情報端末２００は、表示制御部２１１、入力受付部２１２、画面情報取得部２１３、アスペクト比取得部２１４、ファインダー生成部２１５、撮影処理部２１６、分割処理部２１７、送信部２１８を有する。
【００３９】
表示制御部２１１は、情報端末２００の出力部２６であるディスプレイ等に、撮影部２８で撮影している画像を表示する撮影画面等を表示させる。
【００４０】
入力受付部２１２は、撮影部２８で撮影している画像を表示する撮影画面において、撮影している画像を記録するシャッター操作を受け付ける。撮影されたコンテンツデータ２２１が、各表示装置３００において表示されるデータに分割され、分割コンテンツデータ３３１として各表示装置３００へ送信される。
【００４１】
画面情報取得部２１３は、各表示装置３００の画面情報を取得する。画面情報には、各表示装置３００を連結した画面の形状とアスペクト比を算出するために必要な情報が含まれる。例えば、画面情報には、各表示装置３００のアスペクト比及び連結位置の情報を含む。アスペクト比とは、画面の横方向の画素数と縦方向の画素数の比である。連結位置とは、複数の表示装置３００を連結した画面を形成する、各表示装置３００の画面の位置を示す情報である。
【００４２】
画面情報取得部２１３は、情報端末２００が各表示装置３００と接続した際に、各表示装置３００へ画面情報の取得要求を行い、各表示装置３００から画面情報を取得しても良い。また、画面情報取得部２１３は、例えば予め記憶領域２２０に格納されている各表示装置３００の画面情報を取得しても良い。
【００４３】
アスペクト比取得部２１４は、画面情報取得部２１３により取得された画面情報に基づき、各表示装置３００を連結した画面の形状とアスペクト比を算出する。アスペクト比取得部２１４の処理の詳細は後述する。
【００４４】
ファインダー生成部２１５は、アスペクト比取得部２１４が算出した形状とアスペクト比のファインダーを生成し、表示制御部２１１により、撮影画面上に表示させる。ファインダー生成部２１５の処理の詳細は後述する。
【００４５】
撮影処理部２１６は、撮影部２８で撮影した画像データのうち、ファインダー生成部２１５により生成されたファインダーに含まれる領域の画像を、コンテンツデータ２２１として記憶領域２２０に格納する。
【００４６】
分割処理部２１７は、コンテンツデータ２２１を、各表示装置３００に合わせて分割し、分割コンテンツデータ３３１を生成する。
【００４７】
送信部２１８は、分割コンテンツデータ３３１を各表示装置３００へ送信する。
【００４８】
表示装置３００は、保存制御部３１１、通知部３１２、表示制御部３１３を有する。
【００４９】
表示装置３００は、情報端末２００から送信された分割コンテンツデータ３３１が格納される記憶領域３３０を有する。なお、記憶領域３３０は、例えば表示装置３００の有する記憶部３２に設けられても良いし、表示装置３００が読取可能な可搬型の記録媒体に設けられても良い。また記憶領域３３０は、表示装置３００と通信が可能な外部装置等に設けられても良い。
【００５０】
保存制御部３１１は、情報端末２００から受信した分割コンテンツデータ３３１を記憶領域３３０に格納する。
【００５１】
通知部３１２は、分割コンテンツデータ３３１の格納（アップロード）が完了したことを情報端末２００へ通知する。
【００５２】
表示制御部３１３は、表示部３６に対する表示を制御する。
【００５３】
次に図５を参照して、画面情報取得部２１３が取得する、各表示装置の画面情報について説明する。図５は、各表示装置の画面情報の一例を示す図である。各表示装置３００の画面情報には、表示装置３００の識別情報毎の、アスペクト比と連結位置が含まれる。表示装置３００の識別情報は、例えば、表示装置３００のＩＰアドレス、ＭＡＣアドレス、装置名、装置番号等である。連結位置は、例えば、各表示装置３００を連結する際の、横方向の位置と、縦方向の位置を示す情報である。図５の例では、一番左下に連結される各表示装置３００の横方向の位置と、縦方向の位置を、（０，０）と表している。
【００５４】
次に図６を参照して、アスペクト比取得部２１４による各表示装置を連結した画面のアスペクト比を算出する処理について説明する。図６は、各表示装置を連結した画面を説明する図である。
【００５５】
アスペクト比取得部２１４は、画面情報取得部２１３が取得した、図５に示す各表示装置３００の画面情報に基づき、各表示装置３００を連結した画面（連結画面）８０の形状とアスペクト比を算出する。例えば、横方向に連結される表示装置３００の数をｋ、縦方向に連結される表示装置３００の数をｌの場合、連結画面８０の形状は長方形であり、アスペクト比は、４ｋ：３ｌである。
【００５６】
なお、連結画面８０の形状とアスペクト比は、各表示装置３００の解像度に基づいて算出する構成としてもよい。その場合、図５の各表示装置３００の画面情報において、アスペクト比の代わりに解像度を取得する構成としてもよい。例えば、各表示装置３００の解像度が１０２４画素×７６８画素であり、横方向に連結される表示装置３００の数をｋ、縦方向に連結される表示装置３００の数をｌとする。その場合、連結画面８０の形状は長方形であり、連結画面８０の横方向の画素数及び縦方向の画素数はそれぞれ１０２４×ｋ、７６８×ｌであるため、アスペクト比は、４ｋ：３ｌである。
【００５７】
なお、連結画面８０が長方形でない場合、例えば、下段に３つの表示装置を連結し、上段の中央に表示装置を連結した場合は、連結画面８０の形状を凸形状であると算出する。
【００５８】
次に図７を参照して、ファインダー生成部２１５は、アスペクト比取得部２１４が算出した形状とアスペクト比のファインダーを生成する処理について説明する。図７は、撮影画面におけるファインダーの表示例を示す図である。
【００５９】
ファインダー生成部２１５は、アスペクト比取得部２１４が算出した形状とアスペクト比のファインダーを生成し、表示制御部２１１を用いて、撮影時の情報端末２００の画面８１に、ファインダー８２を表示させる。図７の例では、ファインダー８２の範囲内の領域にのみ撮影部２８で撮影している画像を表示させ、ファインダー８２の範囲外の領域は例えば黒画面として表示する。なお、情報端末２００の画面８１全体に撮影部２８で撮影している画像を表示させ、その上に、ファインダー８２の領域を示す枠を表示する構成としてもよい。そして、撮影時には、撮影処理部２１６により、撮影部２８で撮影している画面８１に対応する画像データのうち、ファインダー８２の範囲内の画像が記録される。
【００６０】
図７（Ａ）は、情報端末２００が縦向きの場合の撮影画面におけるファインダーの表示例を示す図である。情報端末２００が縦向きの場合、ファインダー生成部２１５は、縦長画面に、アスペクト比取得部２１４が算出した形状とアスペクト比のファインダーを生成し、表示させる。
【００６１】
図７（Ｂ）は、情報端末２００が縦向きの場合の撮影画面におけるファインダーの表示例を示す図である。情報端末２００が横向きの場合、ファインダー生成部２１５は、横長画面に、アスペクト比取得部２１４が算出した形状とアスペクト比のファインダーを生成し、表示させる。
【００６２】
ファインダー生成部２１５は、情報端末２００の縦横の向きが変化した際に、図７（Ａ）、図７（Ｂ）のように、情報端末２００の向きに応じたファインダーを再度生成して表示する。
【００６３】
次に図８を参照して第１の実施形態に係る表示システム１００の動作を説明する。図８は、第１の実施形態に係る表示システムの動作を説明するシーケンス図である。
【００６４】
表示システム１００において、ユーザにより情報端末２００の撮影制御プログラム２１０が起動される（ステップＳ１０１）。画面情報取得部２１３は、各表示装置３００（３００−１、３００−２、・・・３００−ｎ）に対し、各表示装置３００の画面情報の取得要求を行う（ステップＳ１０２）。各表示装置３００は、この要求を受けて、自身の画面情報を情報端末２００へ送信する（ステップＳ１０３）。なお、画面情報は、情報端末２００が各表示装置３００に無線通信を接続した際に、各表示装置３００から情報端末２００に送信する構成としてもよい。それによりステップＳ１０２の処理が不要となる。また、連結位置の情報等は、各表示装置３００から取得する代わりに、情報端末２００の画面から、ユーザが入力できる構成としてもよい。
【００６５】
続いて、ユーザにより情報端末２００において撮影準備を要求される（ステップＳ１０４）。アスペクト比取得部２１４は、画面情報取得部２１３が取得した各表示装置３００の画面情報に基づいて形状とアスペクト比を算出する（ステップＳ１０５）。ファインダー生成部２１５は、アスペクト比取得部２１４が算出した形状とアスペクト比のファインダーを生成し（ステップＳ１０６）、表示制御部２１１が、撮影画面上にファインダーを表示させる（ステップＳ１０７）。
【００６６】
続いて、ユーザにより情報端末２００において撮影を要求される（ステップＳ１０８）。撮影処理部２１６は、撮影部２８で撮影している画像データのうち、ファインダー８２の範囲内の画像をコンテンツデータ２２１として記憶領域２２０に記録する（ステップＳ１０９）。
【００６７】
続いて、ユーザにより情報端末２００において表示を要求されると（ステップＳ１１０）、分割処理部２１７は、コンテンツデータ２２１を、各表示装置３００に合わせて分割し、分割コンテンツデータ３３１を生成する（ステップＳ１１１）。送信部２１８は、生成した分割コンテンツデータ３３１として各表示装置３００へ送信する（ステップＳ１１２）。各表示装置３００は、保存制御部３１１により、分割コンテンツデータ３３１を記憶領域３３０に格納する（ステップＳ１１３）。
【００６８】
続いて各表示装置３００は、通知部３１２により、記憶領域３３０への分割コンテンツデータ３３１の格納（アップロード）が完了したことを情報端末２００へ通知する（ステップＳ１１４）。
【００６９】
情報端末２００は、各表示装置３００への分割コンテンツデータ３３１の送信が全て完了すると、各表示装置３００に対して分割コンテンツデータ３３１の表示指示を送信する（ステップＳ１１５）。各表示装置３００は、情報端末２００から表示指示を受信すると、分割コンテンツデータ３３１を表示する（ステップＳ１１６）。
【００７０】
なお、図８の例では、撮影制御プログラム２１０が起動した際に、表示装置３００へ画面情報の取得要求を行うものとしたが、これに限定されない。画面情報取得部２１３は、例えばユーザにより所定の要求をされたとき、各表示装置３００に対する画面情報の取得要求を行う構成としても良い。
【００７１】
なお、各表示装置３００の画面情報の少なくとも一部は、撮影制御プログラム２１０の起動時等にユーザにより入力される、あるいは情報端末２００に予め設定しておく構成としてもよい。その場合、画面情報取得部２１３は、画面情報の少なくとも一部を、情報端末２００に格納された情報を読み出しても良い。
【００７２】
アスペクト比取得部２１４が算出した形状とアスペクト比を情報端末２００に格納し、次回以降は、格納されている形状とアスペクト比を読み出して、ファインダーを生成する構成としても良い。
【００７３】
ステップＳ１０９にて、コンテンツデータ２２１を記憶領域２２０に記録する際、分割処理部２１７にて各表示装置３００に合わせて分割して保存ずる構成としてもよい。それにより、ステップＳ１１１の処理が不要となる。
【００７４】
＜効果＞
特許文献１記載の技術では、例えば、縦長の表示領域をもつスマートフォンで撮影したコンテンツデータを、横長の表示領域をもつモニタやプロジェクタに表示する場合は、表示装置においてコンテンツデータが表示されない領域が大きくなる。そのため、コンテンツデータを撮影したユーザが意図していない表示になってしまう場合があった。
【００７５】
第１の実施形態によれば、連結する各表示装置３００に供給する画像について知識のないユーザであっても、各表示装置３００を連結した画面に一致するコンテンツデータを生成することができる。また、ユーザがファインダーを選ぶ操作の手間を省くことができる。
【００７６】
＜第２の実施形態＞
第１の実施形態では、無線通信を接続した後、各表示装置３００の画面情報を取得していた。第２の実施形態では、各表示装置３００の画面情報を、各表示装置３００との無線通信を接続する際の通信にて取得する。それにより、各表示装置３００の画面情報をより迅速に取得できる。
【００７７】
第２の実施形態の表示装置３００の通知部３１２は、無線通信を接続する際のネットワーク情報により、画面情報を通知する。例えば、無線ＬＡＮのビーコンに含まれるＳＳＩＤ（Service Set Identifier）にて、所定のフォーマットによりアスペクト比または解像度を通知する。例えば、アスペクト比が４対３であれば、ＳＳＩＤとして、ＰＪＳ＿４＿３＿ＡＢＣＤ等と、アスペクト比の情報を含むＳＳＩＤを通知する。
【００７８】
また、ビーコンの送信間隔をアスペクト比または解像度に応じた間隔とし、情報端末２００にてビーコンの送信間隔とアスペクト比または解像度とを対応付けたテーブルを設定しておき、当該テーブルを用いて、アスペクト比や解像度を取得する構成としてもよい。例えば、送信間隔が１００ミリ秒であればアスペクト比を１：１、送信間隔が２００ミリ秒であればアスペクト比を１：２などとしてもよい。
【００７９】
第２の実施形態の情報端末２００の画面情報取得部２１３は、各表示装置３００から受信したネットワーク情報に基づいて、画面情報を取得する。
【００８０】
次に図９を参照して第２の実施形態に係る表示システムの動作を説明する。図９は、第２の実施形態に係る表示システムの動作を説明するシーケンス図である。
【００８１】
表示システム１００において、ユーザにより情報端末２００の撮影制御プログラム２１０が起動される（ステップＳ２０１）。画面情報取得部２１３は、各表示装置３００（３００−１、３００−２、・・・３００−ｎ）から、ビーコン等のネットワーク情報に基づき、表示装置３００の画面情報を取得する（ステップＳ２０２）。
【００８２】
以降、ユーザにより情報端末２００において撮影準備を要求され、各表示装置３００が分割コンテンツデータ３３１を表示するまでの処理であるステップＳ２０３〜Ｓ２１５は、図８のステップＳ１０４〜Ｓ１１６と同様であるため、その詳細な説明は省略する。
【００８３】
＜第３の実施形態＞
第１の実施形態及び第２の実施形態では、ファインダーの範囲内の画像をコンテンツデータ２２１として記憶部２２の記憶領域２２０に記録していた。
【００８４】
第３の実施形態では、ファインダーの範囲内の画像と、ファインダーの範囲外の領域も含む撮影部で撮影可能な全範囲の画像とを、区別可能な形式で記憶部２２の記憶領域２２０に記録する。それにより、情報端末２００の画面において、撮影可能な全範囲のコンテンツデータを表示することができる。
【００８５】
第３の実施形態の撮影処理部２１６は、図８のステップＳ１０９にて、撮影部２８で撮影可能な全範囲の画像データと、ファインダー生成部２１５により生成されたファインダーとを対応付けて、コンテンツデータ２２１として記憶部２２の記憶領域２２０に格納する。なお、図７を参照すると、情報端末２００の画面８１が、撮影部２８で撮影可能な全範囲である。
【００８６】
第３の実施形態の分割処理部２１７は、コンテンツデータ２２１の画像データのうち、ファインダーの範囲内の画像を、各表示装置３００に合わせて分割し、分割コンテンツデータ３３１を生成する。
【００８７】
第３の実施形態の表示制御部２１１は、記憶領域２２０に格納されているコンテンツデータ２２１の全範囲の画像データを、情報端末２００の出力部２６であるディスプレイ等に表示させる。
【００８８】
なお、画像データとファインダーとを対応付けて、コンテンツデータ２２１として記憶領域２２０に格納する代わりに、次のようにしてもよい。ファインダー生成部２１５により生成されたファインダーの範囲内の画像をコンテンツデータ２２１として格納するとともに、撮影部２８で撮影した全範囲の画像データを別途格納する。
【００８９】
＜第４の実施形態＞
第４の実施形態では、第１の実施形態乃至第３の実施形態と比較し、各表示装置３００から受信した機種情報を基に、アスペクト比を取得する点が異なる。
【００９０】
次に、図１０を参照して表示システム１００が有する各装置の機能構成について説明する。図１０は、第３の実施形態の表示システムが有する各装置の機能構成の一例を示す図である。
【００９１】
第３の実施形態の記憶領域２２０には、機種情報対応テーブル２２２が格納されている。
【００９２】
図１１は、機種情報対応テーブルの一例を示す図である。機種情報対応テーブル２２２は、予め情報端末２００に格納されていても良い。
【００９３】
機種情報対応テーブル２２２は、情報の項目として、各表示装置３００の機種情報と画面情報とを有する。機種情報とは、例えば表示装置３００を識別する機種名や、製品識別情報等である。
【００９４】
第３の実施形態の画面情報取得部２１３は、各表示装置３００から機種情報を取得し、機種情報対応テーブル２２２を参照して、取得した機種情報に含まれる機種名と対応する画面情報を取得する。なおその場合、機種情報対応テーブル２２２の画面情報には、アスペクト比または解像度の情報を格納し、連結位置の情報等は、情報端末２００の画面から、ユーザが入力できる構成としてもよい。
【００９５】
なお、上述した実施形態におけるシステム構成は一例であり、用途や目的に応じて様々なシステム構成例があることは言うまでもない。
【符号の説明】
【００９６】
１００  表示システム
２００  情報端末
２１０  撮影制御プログラム
２２０  記憶領域
２１１  表示制御部
２１２  入力受付部
２１３  画面情報取得部
２１４  アスペクト比取得部（「取得部」の一例）
２１５  ファインダー生成部（「生成部」の一例）
２１６  撮影処理部
２１７  分割処理部
２１８  送信部
２２１  コンテンツデータ
２２２  機種情報対応テーブル
３００  表示装置
３１０  再生プログラム
３１１  保存制御部
３１２  通知部
３１３  表示制御部
３３０  記憶領域
３３１  分割コンテンツデータ
【先行技術文献】
【特許文献】
【００９７】
【特許文献１】特開２０１５−０４６６８６号公報
【図１】
0006451509.tif 000002
【図２】
0006451509.tif 000003
【図３】
0006451509.tif 000004
【図４】
0006451509.tif 000005
【図５】
0006451509.tif 000006
【図６】
0006451509.tif 000007
【図７】
0006451509.tif 000008
【図８】
0006451509.tif 000009
【図９】
0006451509.tif 000010
【図１０】
0006451509.tif 000011
【図１１】
0006451509.tif 000012